(57)【要約】  積層されたパッドを剥離する際の摘持位置を容易に認識することができる使い捨ての体液処理用パッド複合体を提供する。  体液処理用パッド複合体の一例である生理用ナプキン１は、複数枚のパッドが積層されている。これらパッドは仮着部によって、互いに仮着されている。第１パッド１０には、連続した仮着部１３が形成され、図の上部には、その連続が分断された非着部１４が形成されている。非着部１４には、表示要素６１としてハートマークの図形が吸液性シート１１から視認可能に表示されている。
2011013208.tif 000002
【特許請求の範囲】
【請求項１】
縦方向および横方向と、身体側およびその反対側と、前記身体側に位置する吸液性シートおよび前記反対側に位置する不透液性シートを含むパッドとを含み、前記パッドが複数枚積層された使い捨ての体液処理用パッド複合体において、
複数の前記パッドは、互いに剥離可能に仮着される仮着部と、非着部とを含み、
前記パッドには、前記吸液性シートから視認可能な表示要素が形成され、前記表示要素は、前記パッドの周縁に位置する前記非着部であって少なくともその一部を表示可能なことを特徴とする前記体液処理用パッド複合体。
【請求項２】
前記仮着部は、前記パッドの周縁に沿って連続的に形成され、前記非着部は、連続した前記仮着部を分断して前記周縁の一部に形成される請求項１記載の使い捨ての体液処理用パッド複合体。
【請求項３】
前記表示要素は、前記非着部に位置する文字、記号および図形の少なくともいずれかを含む請求項１または２記載の使い捨ての体液処理用パッド複合体。
【請求項４】
前記表示要素は、前記非着部を指示する文字、記号および図形の少なくともいずれかを含む請求項１〜３のいずれかに記載の使い捨ての体液処理用パッド複合体。
【請求項５】
前記表示要素は、前記非着部の着色を含む請求項１〜４のいずれかに記載の使い捨ての体液処理用パッド複合体。
【請求項６】
前記表示要素は、前記パッドの一部を切り欠いた切欠き部を含む請求項１〜５のいずれかに記載の使い捨ての体液処理用パッド複合体。
【発明の詳細な説明】
【技術分野】
【０００１】
この発明は、吸液性のパッドを複数枚積層させた使い捨ての体液処理用パッド複合体に関し、さらに詳しくは生理用ナプキン、尿吸収パッド、パンティライナ等の体液処理用パッド複合体に関する。
【背景技術】
【０００２】
従来、吸液性のパッドを複数枚積層させた使い捨ての体液処理用パッド複合体が知られている。例えば、特許文献１によれば、積層させた吸液性のパッドの両側縁を圧着プレスによって互いに仮固定している。このように仮固定したパッドは、身体側から一枚ずつ剥離することができる。したがって、着用者の肌に接触しているパッドが汚れたら、これを剥離して新しいパッドを露出させて使用することができる。
【先行技術文献】
【特許文献】
【０００３】
【特許文献１】特許第４２２６０８６号公報（ＪＰ  ４２２６０８６  Ｂ２）
【発明の概要】
【発明が解決しようとする課題】
【０００４】
複数枚積層させたパッドを剥離する際には、その端部を摘持して引っ張るが、仮固定されている部分からは剥離しにくく、仮固定されていない部分を摘持するようにしなければならない。しかし、パッドはその全面が同色で形成されているので、仮固定されてない部分を瞬時に見つけるのは困難であった。【０００５】
この発明では、積層されたパッドを剥離する際の摘持位置を容易に認識することができる使い捨ての体液処理用パッド複合体を提供することを課題とする。
【課題を解決するための手段】
【０００６】
この発明は、縦方向および横方向と、身体側およびその反対側と、前記身体側に位置する吸液性シートおよび前記反対側に位置する不透液性シートを含むパッドとを含み、前記パッドが複数枚積層された使い捨ての体液処理用パッド複合体の改良に関わる。【０００７】
この発明は、複数の前記パッドは、互いに剥離可能に仮着される仮着部と、非着部とを含み、前記パッドには、前記吸液性シートから視認可能な表示要素が形成され、前記表示要素は、前記パッドの周縁に位置する前記非着部であって少なくともその一部を表示可能なことを特徴とする。【０００８】
この発明の好ましい実施態様のひとつとして、前記仮着部は、前記パッドの周縁に沿って連続的に形成され、前記非着部は、連続した前記仮着部を分断して前記周縁の一部に形成される。【０００９】
好ましい他の実施態様のひとつとして、前記表示要素は、前記非着部に位置する文字、記号および図形の少なくともいずれかを含む。【００１０】
好ましい他の実施態様のひとつとして、前記表示要素は、前記非着部を指示する文字、記号および図形の少なくともいずれかを含む。【００１１】
好ましい他の実施態様のひとつとして、前記表示要素は、前記非着部の着色を含む。【００１２】
好ましい他の実施態様のひとつとして、前記表示要素は、前記パッドの一部を切り欠いた切欠き部を含む。
【発明の効果】
【００１３】
複数枚積層された吸液性のパッドは、互いに剥離可能に仮着される仮着部と、非着部とを含み、パッドには、吸液性シートから視認可能であって、非着部を表示する表示要素が形成される。したがって、表示要素を目印にして積層されたパッドの挟持位置を容易に判断することができる。
【図面の簡単な説明】
【００１４】
【図１】生理用ナプキンの斜視図。
【図２】図１のＩＩ−ＩＩ線断面図。
【図３】実施例１の説明図。
【図４】実施例２の説明図。
【図５】実施例３の説明図。
【図６】実施例４の説明図。
【図７】実施例５の説明図。
【図８】実施例６の説明図。
【図９】実施例７の説明図。
【符号の説明】
【００１５】
１    生理用ナプキン（使い捨ての体液処理用パッド複合体）
１０    第１パッド（パッド）
１１    吸液性シート
１２    不透液性シート
１３    仮着部
１４    非着部
２０    第２パッド（パッド）
２１    吸液性シート
２２    不透液性シート
２３    仮着部
２４    非着部
３０    第３パッド（パッド）
３１    吸液性シート
３２    不透液性シート
３３    仮着部
３４    非着部
６１〜６３    表示要素
６５〜６７    表示要素
６８    切欠き部
６９    着色部
７０    切欠き部
７１    着色部
Ｘ    横方向
Ｙ    縦方向
【発明を実施するための形態】
【００１６】
この発明の使い捨ての体液処理用パッド複合体の一例として生理用ナプキン１を用いて説明する。図１および２に示した生理用ナプキン１の構成は、実施例１〜７に共通するものである。図１は、生理用ナプキン１の斜視図であって、説明のためその一部を破断させた図、図２は、図１のＩＩ−ＩＩ線断面図である。生理用ナプキン１は、縦方向Ｙおよび横方向Ｘを有し、縦方向Ｙに長く延び両端部から中央部へ幅狭に形成されている。生理用ナプキン１は、横方向Ｘの長さ寸法を二等分する仮想縦中心線Ｐ−Ｐと、縦方向Ｙの長さ寸法を二等分する仮想横中心線Ｑ−Ｑとを有し、仮想縦中心線Ｐ−Ｐおよび仮想横中心線Ｑ−Ｑに対してほぼ対称に形成されている。
【００１７】
生理用ナプキン１は、着用者の身体側と、その反対側である着衣側とを有している。生理用ナプキン１は、身体側から着衣側に向かって複数の吸液性のパッドを積層させている。具体的には、積層の最上に位置する第１パッド１０と、第１パッド１０の下側に位置する第２パッド２０と、第２パッド２０の下側に位置する第３パッド３０とを含む。これら第１，第２，第３パッド１０，２０，３０は、上側に位置する吸液性シート１１，２１，３１と、それぞれの下側に位置する不透液性シート１２，２２，３２との積層体によってそれぞれ形成されている。吸液性シート１１，２１，３１は、単位面積当たりの質量が約１５〜４０ｇ／ｍ２、好ましくは約２０〜３５ｇ／ｍ２、さらに好ましくは約３０ｇ／ｍ２のコットン等の親水性繊維のスパンレース繊維不織布を用いることができ、不透液性シート１２，２２，３２は、単位面積当たりの質量が約１０〜２５ｇ／ｍ２、好ましくは約１８ｇ／ｍ２のプラスチックフィルムを用いることができる。不透液性シート１２，２２，３２は、通気性を有することが望ましい。
【００１８】
第３パッド３０の下側、すなわち、着衣側には、接着剤等の接合手段４０が形成され、その下側には接合手段４０を覆う剥離シート５０が積層されている。剥離シート５０を第３パッド３０から剥離すると、接合手段４０が第３パッド３０に現れ、接合手段４０を介して第３パッド３０を着用者の下着に固定することができる。
【００１９】
第１，第２，第３パッド１０，２０，３０と、剥離シート５０とは、同形同大に形成され、両端部から仮想横中心線Ｑ−Ｑへ向かって、その横方向Ｘの長さ寸法が他の部分よりも小さくなるように形成されている。パッド１０，２０，３０を上記のような形状にすることによって、これらパッドが股下間で妄りに不規則に変形させることなく、着用者の身体に密着させることができる。
【００２０】
第１，第２，第３パッド１０，２０，３０は、その周縁２に沿って仮着部１３，２３，３３が形成されている。仮着部１３，２３，３３は、具体的には、周縁２に沿って間欠的に並んだ凹部（デボス）によって形成されている。凹部は、熱圧着によって形成されるとともに、第１パッド１０から第３パッド３０に至るまで形成されることによって、これら第１，第２，第３パッド１０，２０，３０を互いに仮着している。仮着部１３，２３，３３は、周縁２に沿って連続的に形成されているが、連続的とは、凹部が互いに繋がって連続して形成される場合と、間欠的に並んで全体的に連続されている場合とを含む。仮着部１３，２３，３３は、各パッド１０，２０，３０を上側に離間させるように持ち上げることで容易に剥離可能となっている。
【００２１】
第１，第２，第３パッド１０，２０，３０には、周縁２の一部において仮着部１３，２３，３３が形成されない非着部１４，２４，３４を有している。言い換えれば、非着部１４，２４，３４は、連続した仮着部１３，２３，３３の一部を分断するようにして形成されている。なお、以下実施例に示すように、非着部１４，２４，３４の形成位置は、この図１に示した例に限られず、さまざまなパターンを採用することができる。また、各パッド１０，２０，３０には、非着部１４，２４，３４の位置を示す表示要素が形成される。
【実施例１】
【００２２】
図３は、実施例１における表示要素６１を示したものであり、表示要素として図形を用いている。図３は、第１パッド１０において視認される表示要素６１である。第１パッド１０には、連続した仮着部１３が形成され、図の縦方向Ｙ上部には、その連続が分断された非着部１４が形成されている。非着部１４には、表示要素６１としてハートマークの図形が吸液性シート１１から視認可能に表示されている。したがって、着用者は、非着部１４を容易に判断することができ、このハートマークが位置する周縁２を摘持することによって、第１パッド１０を容易に剥離することができる。【００２３】
この実施例１では、第１パッド１０のみについて説明しているが、少なくとも第２パッド２０にも同様の図形が非着部２４に表示されている。このようにすることよって、第２パッド２０の摘持位置も容易に判断することができる。また、第３パッド３０は、最後のパッドであるので剥離することはないが、この第３パッド３０にも同様のハートマークの図形を表示してもよい。この場合、例えば、第１，第２，第３パッド１０，２０，３０によってそれぞれハートマークの数を変化させることによって、何枚目のパッドを使用しているかを着用者に認識させることもできる。
図形としては、さまざまなものを使用することができることは当然であり、例えば、雪の結晶のマークや、花のマーク等、種々の図形を用いることができる。
【実施例２】
【００２４】
図４は、実施例２を示したものであり、表示要素６２として図形を用いた、図３と同様の図である。第１パッド１０には、周縁２に沿って連続した仮着部１３が形成され、図の上部に仮着部１３が分断された非着部１４が形成されている。非着部１４には、表示要素６２としていかりの図形を表示している。また、この実施形態では、吸液性シート１１から視認可能であって表示要素６２とは異なる模様が形成されている。具体的には、第１パッド１０の全体にストライプの模様が画かれている。このように第１パッド１０に模様を画いた場合であっても、これとは異なる図形である表示要素６２を形成することとしたので、非着部１４を容易に判断することができる。【００２５】
なお、第２パッド２０および第３パッド３０にも同様の表示要素６２および模様を画いてもよいことは、実施例１と同様である。この場合、第２パッド２０および第３パッド３０の模様のパターンや色を第１パッド１０のそれと異なるものとすることによって、各パッドを識別することができる。
【実施例３】
【００２６】
図５は、実施例３における表示要素６３を示したものであって、図３と同様の図である。第１パッド１０には、二条の仮着部１３が形成され、これら仮着部１３の間であって図の上下部には、それぞれ二箇所の非着部１４が形成されている。非着部１４には、結ばれたリボンの図形が表示要素６３として表示されている。また、仮着部１３に沿って、結び目のない帯状のリボンの図形６４が表示されている。【００２７】
仮着部１３に沿って図形６４を表示することによって、仮着部１３をも認識することができる。表示要素６３と図形６４とによって、非着部１４と仮着部１３との相違が明らかになり、より一層非着部１４の認識が容易になる。【００２８】
なお、図形６４は、仮着部１３と完全に一致する必要はなく、非着部１４との相違を理解できる程度において仮着部１３の近傍に位置していればよい。表示要素６３として、例えば花を画き、図形６４としてつたの葉を画くようにしてもよい。このように表示要素６３と図形６４との間で関連性を持った図形を採用することもできる。第２パッド２０および第３パッド３０にも、同様の表示要素６３および図形６４を表示することができる。
【実施例４】
【００２９】
図６は、実施例４を示したものであり、表示要素６５として記号を用いている。第１パッド１０には、周縁２に沿って連続した仮着部１３が形成され、図の上部に仮着部１３が分断された非着部１４が形成されている。非着部１４の周辺には、非着部１４を指し示す表示要素６５として矢印の記号を表示している。【００３０】
表示要素６５としては、非着部１４を指し示すことができれば、矢印以外の記号を用いることができる。例えば、指の図形や三角の図形などを用いて、非着部１４を指し示すことができる。また、第２パッド２０および第３パッド３０にも同様の表示要素６２および模様を画いてもよいことは、実施例１と同様である。
【実施例５】
【００３１】
図７は、実施例５を示したものであり、表示要素として他の部分とは異なる着色をしている。第１，第２，第３パッド１０，２０，３０には、周縁２に連続した仮着部１３，２３，３３が形成され、図の上部には、これらが分断された非着部１４，２４，３４が形成されている。第２パッド２０は、非着部２４が形成された図の上部において、第３パッド３０よりもその面積が小さくなるように形成されている。すなわち、第２パッド２０の非着部２４の下側から第３パッド３０の非着部３４が延出している。このような非着部２４は、他の部分とは異なる着色がされることによって表示要素６７が形成されている。【００３２】
第１パッド１０は、非着部１４が形成された図の上部において、第２パッド２０よりもその面積が小さくなるように形成されている。すなわち、第１パッド１０の非着部１４の下側から第２パッド２０の非着部２４が延出している。このような非着部１４は、他の部分とは異なる着色がされることによって表示要素６６が形成されている。この表示要素６６は、第２パッド２０の表示要素６７とは異なる着色とされている。【００３３】
上記のような生理用ナプキン１では、第１パッド１０の非着部１４から第２パッド２０の非着部２４が延出し、第２パッド２０の非着部２４から第３パッド３０の非着部３４が延出するので、その３枚のパッドの積層状態を容易に理解できるとともに、非着部の位置を容易に確認することができる。
【実施例６】
【００３４】
図８は、実施例６を示したものであり、表示要素としてパッドに切欠き部を形成している。図８（ａ）は第１，第２，第３パッド１０，２０，３０が積層された状態を示したものであり、（ｂ）は（ａ）の状態から第１パッド１０を剥離させた状態を示したものである。第１，第２，第３パッド１０，２０，３０には、周縁２に連続した仮着部１３，２３，３３が形成され、図の上部には、これらが分断された非着部１４，２４，３４が形成されている。【００３５】
第１パッド１０の図の上部には、非着部１４に対応する位置であって、その一部を切り欠いた切欠き部６８が形成されている。第２パッド２０には、切欠き部６８に対応する位置に他の部分とは異なる着色がされた着色部６９が形成されている。したがって、切欠き部６８を介して着色部６９が視認され、これら両者によって表示要素を形成している。【００３６】
第１パッド１０を剥離させると、第２パッド２０が露出されるが、第２パッド２０には、非着部２４に対応する位置であって、その一部を切り欠いた切欠き部７０が形成されている。第３パッド３０には、切欠き部７０に対応する位置に他の部分とは異なる着色がされた着色部７１がされている。したがって、切欠き部７０を介して着色部７１が視認され、これらによって表示要素を形成している。着色部７１は、着色部６９とは異なる色とすることができる。【００３７】
切欠き部６８，７０を形成し、しかも、これら切欠き部６８，７０を介してその下層のパッドの着色部６９，７１を視認することができるので、容易に非着部１４，２４を判断することができる。
なお、着色部６９，７１は必須の構成ではなく、これがない場合であってもよい。そのような場合であっても、切欠き部６８，７０によって非着部１４，２４を認識することができる。
【実施例７】
【００３８】
図９は、実施例７における表示要素７２を示したものであって、図５と同様の図である。第１パッド１０には、二条の仮着部１３が形成され、これら仮着部１３の間であって図の上下部には、それぞれ二箇所の非着部１４が形成されている。この実施例では、仮着部１３に表示要素７２を表示することで、表示要素７２が表示されていない部分を非着部１４であると判断することができる。表示要素７２として、帯状のリボンの図形を画いている。【００３９】
なお、表示要素７２は、仮着部１３と完全に一致する必要はなく、非着部１４との相違を理解できる程度において仮着部１３の近傍に位置していればよい。表示要素７２として、例えばつたの葉の図形などを画くこともできる。表示要素７２としては、連続して表示される図形であることが好ましく、この連続した図形が途切れた部分が非着部１４を表示するものである。【００４０】
各実施例において、表示要素は、印刷等によって画くことができるほか、各パッドの表面に凹凸の形成することによって画くこともできる。また、印刷等で画く場合には、吸液性シートに直接画いてもよいし、不透液性シートに画いたものが透過して視認できるようにしたものであってもよい。また、表示要素として、文字や数字等を表示することもでき、これら文字等と図形、記号、模様との組み合わせであってもよい。
いずれの実施例でも、３枚の積層されたパッドを用いて説明しているが、これが複数枚であれば何枚でもよい。ただし、各パッドが仮着部１３，２３，３３によって仮着され、着用状態においては容易に剥離しないようにされている。【００４１】
最も下側に位置する第３パッド３０において、その不透液シート３２のさらに下側にスパンボンド・メルトブローン・スパンボンド（ＳＭＳ）等の繊維不織布をさらに積層させ、この繊維不織布に接合手段４０を形成するようにしてもよい。このように繊維不織布をさらに積層することによって、第３パッド３０を取り替えるためにショーツ等の下着から剥がそうとした際に第３パッド３０が破損するのを防止する補強材とすることができる。補強材として繊維不織布を用いることによって、第３パッド３０の不透液性シート３２の剛性を小さくすることができ、着用時の違和感を軽減することができる。
【図１】
2011013208.tif 000003
【図２】
2011013208.tif 000004
【図３】
2011013208.tif 000005
【図４】
2011013208.tif 000006
【図５】
2011013208.tif 000007
【図６】
2011013208.tif 000008
【図７】
2011013208.tif 000009
【図８】
2011013208.tif 000010
【図９】
2011013208.tif 000011
【国際調査報告】
2011013208.tif 000012
2011013208.tif 000013